(57)【要約】【課題】鉄道を利用する乗客に指定券の提示を求めることなく車掌が正しく指定券による正しい座席が使用されているかを判定することのできる指定券および検索システムを提供する。【解決手段】情報を蓄え、必要な時期にそれを読み出すために、情報を記憶する情報記録部、外部から特定の情報記録部分を選択するためのアドレス処理部、情報の読み出し、書込みを扱う信号処理部、それらの動作を制御するためのタイミング処理部、情報の読み出し、書込みのための通信処理部および該通信処理部に接続された微小アンテナ部を備えたＩＣチップが、車両の乗車用の指定券に装着され、前記ＩＣチップの情報記録部には、指定券に印字されたと同一の車両利用の指定された利用日、乗車区間、車両番号、座席番号が外部から前記アドレス処理部を介して入力、登録されている。【選択図】  図１
2004288125.tif 000002
【特許請求の範囲】
【請求項１】
情報を蓄え、必要な時期にそれを読み出すために、情報を記憶する情報記録部、外部から特定の情報記録部分を選択するためのアドレス処理部、情報の読み出し、書込みを扱う信号処理部、それらの動作を制御するためのタイミング処理部、情報の読み出し、書込みのための通信処理部および該通信処理部に接続された微小アンテナ部を備えたＩＣチップが、車両の乗車用の指定券に装着され、前記ＩＣチップの情報記録部には、指定券に印字されたと同一の車両利用の指定された利用日、乗車区間、車両番号、座席番号が外部から前記アドレス処理部を介して入力、登録されており、外部から出力信号が入力されたとき、前記信号処理部、通信処理部および微小アンテナを介して当該利用日、乗車区間、車両番号および座席番号を発するようにした車両の指定券。
【請求項２】
情報を蓄え、必要な時期にそれを読み出すために、情報を記憶する情報記録部、外部から特定の情報記録部分を選択するためのアドレス処理部、情報の読み出し、書込みを扱う信号処理部、それらの動作を制御するためのタイミング処理部、情報の読み出し、書込みのための通信処理部および該通信処理部に接続された微小アンテナを備えたＩＣチップが、車両の乗車用の指定券に装着され、前記ＩＣチップの情報記録部には、指定券に印字されたと同一の車両利用の指定された利用日、乗車区間、車両番号、座席番号が外部から前記アドレス処理部を介して入力、登録されており、当該利用日、車両番号、座席番号についてアンテナを介して発する検索装置と、出力を要求する指定券検索機を備え、前記指定券検索機からの要求信号があったとき、前記信号処理部、通信処理部および微小アンテナを介して当該利用日、乗車区間、車両番号および座席番号についての信号を発し、前記指定券検索機は、当該利用日、乗車区間、車両番号および座席番号と、検索装置が出力する利用日、乗車区間、車両番号および座席番号との一致を判定し、一致したときに一致識別信号を表示部に出力するようにした車両の乗車用の指定券の検索システム。
【発明の詳細な説明】
【０００１】
【発明の属する技術分野】
本発明は、車両の乗車用の指定券の検索システムおよび当該システムで使用する指定券に関する。
【０００２】
【従来の技術】
鉄道会社の列車あるいは電車の指定券を購入した場合、手渡されるのは印字された指定券であって、電子情報化されていない。
指定券とは異なるが、特許文献１には紙幣、株券など有価証券類に微細なＩＣチップを搭載することが記載されている。この例の場合は、管理サーバは、ＩＣチップ読取、書込装置を介してＩＣチップと通信し、ロックキーが正しいかどうかを判定することを行うとしている。
【０００３】
特許文献２には、カード所有者の認識に用いるＲＦ−ＩＤ半導体デバイス、カード所有者の認識に用いるシールおよびカードシステムが記述されている。
【０００４】
特許文献３には、ジョイントパネルを有し、該ジョイントパネルを他パネルに重ね接着剤を介して接着した紙容器であり、前記ジョイントパネルと他パネルとの間に前記接着剤を介してＩＣチップを固定したＩＣチップ付き紙容器および紙容器のブランクのジョイント部を構成するジョイントパネルと他パネルの何れかに接着剤６を塗布する工程と、ジョイントパネルと他パネルを折り重ね、接着剤によってジョイントと他パネルを接着し、かつＩＣチップをジョイントパネルと他パネルとの間に固定する工程とから成るＩＣチップ装填方法が記載されている。
【０００５】
【特許文献１】
特開２００１−２６０５８０号公報
【特許文献２】
特開２００２−２６６０７０号公報
【特許文献３】
特開２００２−２３４５２９号公報
【０００６】
【発明が解決しようとする課題】
今、新幹線を利用し、のぞみに乗って大阪駅に行くと想定してみよう。周期的な単調な振動によって眠気を催し、眠ったとしよう。この時に、車掌さんの「指定券を拝見させて頂きます。」との声で必ず起こされるはずだ。だからと言って、指定券をテーブルの上に載置しておくことは出来ない。
【０００７】
本発明は、乗客が上着のポケット等に指定券を保持している限りにおいて、車掌さんに提示するを要することなく、車掌さんは当該乗客が正しく指定券を所持し、指定された席（指定席）を正しく利用しているかを検索すると直ちに判定することが出来るようにした車両の乗車用の指定券の検索システムおよび当該システムで使用する指定券を提供することを目的とする。
【０００８】
【課題を解決するための手段】
本発明は、情報を蓄え、必要な時期にそれを読み出すために、情報を記憶する情報記録部、外部から特定の情報記録部分を選択するためのアドレス処理部、情報の読み出し、書込みを扱う信号処理部、それらの動作を制御するためのタイミング処理部、情報の読み出し、書込みのための通信処理部および該通信処理部に接続された微小アンテナ部を備えたＩＣチップが、車両の乗車用の指定券に装着され、前記ＩＣチップの情報記録部には、指定券に印字されたと同一の車両利用の指定された利用日、乗車区間、車両番号、座席番号が外部から前記アドレス処理部を介して入力、登録されており、外部から出力信号が入力されたとき、前記信号処理部、通信処理部および微小アンテナを介して当該利用日、乗車区間、車両番号および座席番号を発するようにした車両の指定券を提供する。
指定券について上述したが、乗車券についても同様に構成でき、指定券および乗車券を別々に、または一体として検索することができる。
【０００９】
また、本発明は、情報を蓄え、必要な時期にそれを読み出すために、情報を記憶する情報記録部、外部から特定の情報記録部分を選択するためのアドレス処理部、情報の読み出し、書込みを扱う信号処理部、それらの動作を制御するためのタイミング処理部、情報の読み出し、書込みのための通信処理部および該通信処理部に接続された微小アンテナを備えたＩＣチップが、車両の乗車用の指定券に装着され、前記ＩＣチップの情報記録部には、指定券に印字されたと同一の車両利用の指定された利用日、乗車区間、車両番号、座席番号が外部から前記アドレス処理部を介して入力、登録されており、当該利用日、車両番号、座席番号についてアンテナを介して発する検索装置と、出力を要求する指定券検索機を備え、前記指定券検索機からの要求信号があったとき、前記信号処理部、通信処理部および微小アンテナを介して当該利用日、車両番号および座席番号についての信号を発し、前記指定券検索機は、当該利用日、乗車区間、車両番号および座席番号と、検索装置が出力する利用日、乗車区間、車両番号および座席番号との一致を判定し、一致したときに一致識別信号を表示部に出力するようにした車両の乗車用の指定券の検索システムを提供する。
【００１０】
【発明の実施の形態】
以下、本発明の実施例について図面に基づいて説明する。
図１は、車両の乗車用の指定券および乗車券の検索システムを示し、図２は当該指定券または乗車券の断面形状を示す。これらの図において、鉄道会社の車両の乗車用の指定券１には、周知のように、車両利用の指定された利用日、乗車区間、車両番号、座席番号、そしてグリーン券である場合にはグリーン券であることを表示する情報３の印字がなされる。乗車券２には周知のように、利用日通用期間、乗車区間の印字がなされる。指定券および乗車券が一枚となっている場合もある。また乗車券が定期券である場合もある。以下、指定券を例にとって説明する。
【００１１】
指定券１には、ＩＣチップ４が埋め込まれ、貼付され、もしくは印刷されて設けられる。図２は、ＩＣチップ４が埋め込まれた状態を示す。ＩＣチップ４には指定券１に利用日、乗車区間、車両番号、座席番号が印字される時に、これらの利用に関する同一の情報５が外部の、すなわち指定券発行機（図示せず）から入力される。同一の情報は、利用日６、乗車区間７、車両番号８、座席番号９、そしてグリーン券である場合にはグリーン券であることを示す情報である。また、乗車券を含んでいる場合にはその旨の表示がなされる。ＩＣチップにこれらの情報を入力後に、指定券発行機内でしっかりと指定券に貼り付けるようにしてもよい。
所定の指定券を購入した乗客は、指定された利用日に、指定された乗車区間について指定された車両番号、座席番号の座席を利用することを行う。
【００１２】
車掌は携帯形の指定券検索機１１を所持する。当該指定券検索機１１は、指定券１に記録された情報５を読み込む機能を有する。尚、指定券検索機１１は、乗車券２および定期券に記録された情報５を指定券１と区別する状況で読み込む機能を有する。
指定券検索機１１は、ＩＣチップリーダ１２および情報記録部１３を備える情報端末器である。
【００１３】
図３は上述した機能、構成を更に詳細に示す。図３において、ＩＣチップ４は、情報を一時的に蓄え、必要な時期にそれを読み出すために、情報５を記憶する情報記憶部３１、外部から特定の情報記録部分を選択するためのアドレス処理部３２、情報の読み出し、書込みを扱う信号処理部３３、それらの動作を制御するためのタイミング処理部３４、情報５の読み出し、書込みのための通信処理部３５および通信処理部３５に接続された微小アンテナ部３６を備える。微小アンテナ部３６は指定券１の他の部所に設けてもよいが、この場合にもＩＣチップ４の一部として取り扱うことが出来る。
【００１４】
情報端末機能を有する指定券検索機１１は、ＩＣチップリーダ１２および情報記録部１３としての機能として、入力部４１、表示部４２、情報制御部４３、通信処理部４４および情報記録部４５を有する。
指定券検索機１１には、指定券発行機からの情報発信を受けた情報ネットワークを介して入力部４１に上述した情報が予め入力される。入力された情報は、情報制御部４３で情報処理されて情報記録部４５に記録される（蓄積される）。図示するように、この情報記録部４５には、利用日６’、乗車区間７’、車両番号８’、座席番号９’等の情報４６が記録される。
このような状況の下、車掌が当該の車両番号の車両に来て座席毎の指定券（勿論乗車券も）の所持検索を行う。
【００１５】
表示部４２のＩＣ読込みボタン４８を押すと、表示部４２には、情報記録部４５に記録された情報４６が表示されると共に、乗客の有するＩＣチップ４と指定券検索機１１との間で無線による情報の授受（無線通信）３７を行う。従って、ＩＣチップ４の有する通信能力は約２ｍ〜３ｍをカバーすれば充分であり、通信処理部等をコンパクトなものとする。
また、指定券検索機１１には指向性を持たせる。
【００１６】
ＩＣチップ４に保持された情報５が指定券検索機１１の保持する情報４６と比較され、一致すると表示部４２に表示された検索結果４７に「ＯＫ」が表示され、一致しない場合にのみ、車掌は指定券１の拝見を申し出ることになる。
検索結果あるいは指定券１自体の検索によってＯＫが判定された場合には、検索確認ボタン４９が押され、記録に残され、同一の乗車に対する再度の検索を行うことが必要ないものとされる。以上のようにして指定券１と指定券検索機１１との間に働く検索システム１００が構成される。尚、指定券１の電源としては市販の光検知によるエネルギー蓄積ＩＣを用いればよい。
【００１７】
図４はフローチャートを示す。図において、ＩＣチップリーダによる読込みを行い（Ｓ１）、利用日のチェック（Ｓ２）、乗車区間のチェック（Ｓ３）、車両番号のチェック（Ｓ４）、座席番号のチェック（Ｓ５）を行い、他の情報と重複していないかを判定し（Ｓ６）、情報端末に記録する（Ｓ７）ことを行う。
【００１８】
図５は、コンピュータ機能を備えた指定券発行機５１から情報ネットワーク５２を介して指定券１および指定券検索機１１に所定の情報５３の書込みを行う例を示す。
通常の業務に従って利用客からの依頼に応じて指定券１（乗車券２を含める）の発券業務がなされる。この場合には、発券ＯＫとなると、利用日６ａ、乗車区間７ａ、車両番号８ａ、座席番号９ａ等の情報５３が記録部（図示せず）に記録されると共に指定券１上には、これらの情報が印字されて情報３となる。この印字された情報３と同一の情報がＩＣチップ４内に上述したようにして記録され、かつ指定券検索機１１の情報記録部４５に上述したようにして記録される。
【００１９】
このようにして、指定券検索機１１からの情報５の出力要求に基づいて指定券１のＩＣチップ２から所定の情報の出力がなされ、上述のようにして、指定券検索機１１における同一の情報可否判断がなされ、車掌の検索業務が遂行される。
【００２０】
【発明の効果】
以上のように、指定券（乗車券を含む）を販売、購入した時に指定券に印字される乗車、予約座席番号等の情報と同一の情報が指定券自体に備えたＩＣチップに組み込まれて車掌の所持する指定券検索機によって無線通信がなされて指定券に与えられた予約を当該乗客が保持しているかを指定券自体の検索を行うことなしに判定することが出来るようになる。
【００２１】
このような指定券、検索システムを採用することによって乗客が検索のために車掌に指定券を提示することが必要でなくなるばかりでなく、車掌の手間も大幅に削減できることになる。乗客にとっては何よりも安眠を妨害されずに済むことは大きい。
【図面の簡単な説明】
【図１】本発明の実施例の検索システムを示す図。
【図２】検索システムに使用する指定券の１例を示す図。
【図３】検索システムの詳細を示す構成図。
【図４】フローチャート図。
【図５】情報の書込み、読出しを示す説明図。
【符号の説明】
１…指定券、２…乗車券、３…印字された情報、４…ＩＣチップ、５…ＩＣチップに記録された情報、６、６’、６ａ…利用日、７、７’、７ａ…乗車区間、８、８’、８ａ…車両番号、９、９’、９ａ…座席番号、１１…指定券検索機、１２…ＩＣチップリーダ、１３…情報記録部、３１…情報記憶部、３２…アドレス処理部、３３…信号処理部、３４…通信処理部、３５…タイミング処理部、３６…アンテナ部、３７…無線通信、４１…入力部、４２…表示部、４３…情報制御部、４４…通信処理部、４５…情報記録部、４６…情報記録部４５に記録された情報、１００…検索システム。
【図１】
2004288125.tif 000003
【図２】
2004288125.tif 000004
【図３】
2004288125.tif 000005
【図４】
2004288125.tif 000006
【図５】
2004288125.tif 000007